(57)【特許請求の範囲】
【請求項１】
少なくとも、放送信号を受信して中間周波信号に周波数変換するチューナ部と、前記チューナ部の出力側に接続されたリチウムナイオベート基板を用いた表面弾性波フィルタと、前記表面弾性波フィルタの出力側に検波用集積回路を介して接続されたビデオイコライザ回路とからなり、前記チューナ部及び前記ビデオイコライザ回路にそれぞれ温度−周波数特性を持たせ、それらの温度−周波数特性によって前記表面弾性波フィルタの温度−周波数特性を打ち消すようにしたことを特徴とするビデオ信号再生回路。
【請求項２】
前記チューナ部は、温度依存型中間周波共振回路によって温度−周波数特性を持たせていることを特徴とする請求項１に記載のビデオ信号再生回路。
【請求項３】
前記温度依存型中間周波共振回路は、温度−容量特性を有するコンデンサを用いていることを特徴とする請求項２に記載のビデオ信号再生回路。
【発明の詳細な説明】
【０００１】
【発明の属する技術分野】
本発明は、ビデオ信号再生回路に係わり、特に、テレビジョン放送信号を受信してビデオ信号を再生する際に、チューナ部の出力側にリチウムナイオベート（ＬｉＮｂＯ３  ）基板を用いた表面弾性波（ＳＡＷ）フィルタを接続し、全体の回路構成を簡素化し、製造コストを安価にしたビデオ信号再生回路に関する。
【０００２】
【従来の技術】
従来、放送信号を受信し、ビデオ信号を再生するビデオ信号再生回路には、チューナ部から出力される中間周波信号を抽出するために、チューナ部の出力側にリチウムタンタレート（ＬｉＴａＯ３  ）基板を用いた表面弾性波（ＳＡＷ）フィルタを接続した構成のものが知られている。
【０００３】
図５は、かかる既知のビデオ信号再生回路の構成の一例を示すブロック構成図である。
【０００４】
図５に示されるように、既知のビデオ信号再生回路は、テレビジョン放送信号を受信して中間周波信号に周波数変換するチューナ部５１と、チューナ部５１の出力側に中間周波増幅器５２を介して接続されたリチウムタンタレート（ＬｉＴａＯ３  ）基板を用いた表面弾性波（ＳＡＷ）フィルタ５３と、表面弾性波フィルタ５３の出力側にインピーダンス整合コイル５４を介して接続された検波用集積回路（ＩＣ）５５と、検波用集積回路５５の出力側に接続されたビデオイコライザ回路５６とによって構成されている。
【０００５】
この場合、中間周波増幅器５２は、表面弾性波フィルタ５３で発生する中間周波数信号の比較的大きな損失を補償するために用いたもので、インピーダンス整合コイル５４は、表面弾性波フィルタ５３の高い出力インピーダンスを、検波用集積回路５５の低い入力インピーダンスにインピーダンス整合させるために用いたものである。
【０００６】
かかる構成を有するビデオ信号再生回路において、チューナ部５１はアンテナ（図示なし）で受信したテレビジョン放送信号を中間周波数信号に変換して出力し、中間周波増幅器５２はこの中間周波数信号を増幅して出力する。表面弾性波フィルタ５３は増幅した中間周波数信号の中から必要な中間周波数信号のみを抽出し、インピーダンス整合コイル５４は抽出した必要な中間周波数信号に対するインピーダンス変換を行なう。検波用集積回路５５は必要な中間周波数信号を検波してビデオ信号を出力し、ビデオイコライザ回路５６はビデオ信号に対して所定の周波数等化を行なっている。
【０００７】
【発明が解決しようとする課題】
ところで、前記既知のビデオ信号再生回路に利用されているリチウムタンタレート基板を用いた表面弾性波フィルタ５３は、温度−周波数特性が比較的良好であるため、特別に温度補償回路を付加することなしに使用することができるという利点がある反面、比較的高価であり、信号通過帯域内の信号損失が比較的大きく、しかも、入出力インピーダンスが比較的高いものである。このため、リチウムタンタレート基板を用いた表面弾性波フィルタ５３を用いた既知のビデオ信号再生回路は、信号通過帯域内で生じる信号損失を補償するために、表面弾性波フィルタ５３の前段に中間周波増幅器５２を接続したり、表面弾性波フィルタ５３が呈する高い出力インピーダンスを検波用集積回路５５が呈する低い入力インピーダンスにインピーダンス整合させるために、表面弾性波フィルタ５３の後段にインピーダンス整合コイル５４を接続したりする必要がある。
【０００８】
このように、リチウムタンタレート基板を用いた表面弾性波フィルタ５３を用いた既知のビデオ信号再生回路は、中間周波増幅器５２やインピーダンス整合コイル５４の接続により、ビデオ信号再生回路の構成が複雑になるだけでなく、表面弾性波フィルタ５３自体が高価なことと相俟って、ビデオ信号再生回路の製造コストが高価になってしまうという問題を有している。
【０００９】
本発明は、これらの問題点を解決するもので、その目的は、安価な表面弾性波フィルタを用い、その比較的大きな温度−周波数特性を簡単な回路で補償することによって、全体の構成を簡素化し、製造コストを安価にしたビデオ信号再生回路を提供することにある。
【００１１】
【課題を解決するための手段】
前記目的を達成するために、本発明のビデオ信号再生回路は、表面弾性波フィルタとして、リチウムナイオベート基板を用いた表面弾性波フィルタを用い、その温度−周波数特性を打ち消すために、チューナ部及びビデオイコライザ回路の双方に全体としてその温度−周波数特性と逆の温度−周波数特性を持たせるようにした手段を具備する。
【００１２】
前記手段によれば、表面弾性波フィルタに、安価で、入出力インピーダンスの低いリチウムナイオベート基板を用いた表面弾性波フィルタを利用しているので、既知のこの種の回路に用いられていた表面弾性波フィルタの信号損失を補償する中間周波増幅器や、インピーダンスを整合させるインピーダンス整合コイルが不必要になり、全体的にビデオ信号再生回路の回路構成が簡素化され、製造コストが安価になる。
【００１３】
また、前記手段によれば、リチウムナイオベート基板を用いた表面弾性波フィルタの温度−周波数特性を、その温度−周波数特性と逆の温度−周波数特性を有するチューナ部及びビデオイコライザ回路によって補償し、ビデオ信号再生回路全体の温度−周波数特性をなくしている。
【００１５】
【発明の実施の形態】
本発明の実施の形態において、少なくとも、放送信号を受信して中間周波信号に周波数変換するチューナ部と、チューナ部の出力側に接続されたリチウムナイオベート基板を用いた表面弾性波フィルタと、表面弾性波フィルタの出力側に検波用集積回路を介して接続されたビデオイコライザ回路とからなり、チューナ部及びビデオイコライザ回路に温度−周波数特性を持たせ、それらの温度−周波数特性によって表面弾性波フィルタの温度−周波数特性を打ち消すようにしているものである。
【００１６】
また、この実施の形態の具体例においては、チューナ部に温度依存型中間周波共振回路を用いて温度−周波数特性を持たせており、好ましくは、温度依存型中間周波共振回路に温度−容量特性を有するコンデンサを用いている。
【００１７】
かかる本発明の実施の形態によれば、必要な中間周波信号を抽出する表面弾性波フィルタに、安価で、入出力インピーダンスの低いリチウムナイオベート基板を用いた表面弾性波フィルタを利用することにより、既知のビデオ信号再生回路に用いられていた、表面弾性波フィルタの信号損失を補償する中間周波増幅器や表面弾性波フィルタと次続の検波用集積回路とをインピーダンスを整合させるインピーダンス整合コイルを省いているので、全体的にビデオ信号再生回路の回路構成が簡素化され、安価なリチウムナイオベート基板を用いた表面弾性波フィルタの利用と相俟って、ビデオ信号再生回路の製造コストを安価にすることが可能になる。
【００１８】
また、本発明の実施の形態によれば、リチウムナイオベート基板を用いた表面弾性波フィルタが有する温度−周波数特性を、チューナ部及びビデオイコライザ回路にその温度−周波数特性と逆の温度−周波数特性を持たせ、この逆の温度−周波数特性によって打ち消すようにしているので、ビデオ信号再生回路全体の温度−周波数特性がなくなり、周囲温度の変動に伴うビデオ信号の帯域幅の変動を防ぐことができる。
【００１９】
【実施例】
以下、本発明の実施例を図面を参照して説明する。
【００２０】
図１は、本発明によるビデオ信号再生回路の一実施例の構成を示すブロック回路図である。
【００２１】
図１に示されるように、本実施例のビデオ信号再生回路は、テレビジョン放送信号を受信し、中間周波信号に周波数変換して出力するチューナ部１と、チューナ部１の出力側に接続されたリチウムナイオベート（ＬｉＮｂＯ３  ）基板を用いた表面弾性波（ＳＡＷ）フィルタ２と、表面弾性波フィルタ２の出力側に接続された検波用集積回路（ＩＣ）３と、検波用集積回路３の出力側に接続されたビデオイコライザ回路４と、ビデオイコライザ回路４の出力端（図番なし）に接続されたビデオ信号出力端子５とを備えている。
【００２２】
この場合、チューナ部１は、以下に詳しく述べるように、表面弾性波フィルタ２が呈する比較的大きな温度−周波数特性と逆の比較的大きな温度−周波数特性を有するものが用いられる。
【００２３】
また、図２（ａ）は、図１に図示されたチューナ部１の出力部分の１つの構成例を示すブロック構成図であり、図２（ｂ）乃至（ｄ）は、図２（ａ）に図示された温度依存型中間周波共振回路の他の構成例を示す回路図である。
【００２４】
図２（ａ）に示されるように、チューナ部１の出力部分は、同調されるテレビジョン放送信号周波数に対応した周波数の局部発振信号を出力する局部発振器６と、受信されたテレビジョン放送信号と局部発振信号とを周波数混合する周波数混合器７と、中間周波数に同調し、温度−周波数特性を有する温度依存型中間周波共振回路８と、中間周波信号出力増幅器９とを具備している。
【００２５】
この場合、図２（ａ）に図示された例の場合、温度依存型中間周波共振回路８には、コイル１０及び温度−容量特性を有するコンデンサ１１の並列回路が信号伝送路と接地点間に接続されたものが用いられている。
【００２６】
さらに、図３（ａ）は、リチウムナイオベート基板を用いた表面弾性波フィルタ２の信号通過特性であり、図３（ｂ）は、チューナ部１の温度依存型中間周波共振回路８が呈する通過特性である。
【００２７】
図３（ａ）、（ｂ）において、縦軸は信号レベル、横軸は周波数であって、実線は常温（例えば、２５℃）のときの特性であり、一点鎖線は高温（例えば、５５℃）のときの特性である。
【００２８】
前記構成による本実施例のビデオ信号再生回路の動作を、図１、図２（ａ）及び図３（ａ）、（ｂ）を用いて説明する。
【００２９】
チューナ部１は、受信アンテナ（図示なし）を通してテレビジョン放送信号を受信し、受信したテレビジョン放送信号を高周波増幅器（図示なし）で増幅し、次に、周波数混合器７で局部発振器６から供給される局部発振信号と周波数混合して周波数混合信号を発生し、続いて、温度依存型中間周波共振回路８で供給された周波数混合信号に対し、図３（ｂ）の実線に示されるような中間周波信号帯域通過特性によって中間周波信号を抽出し、中間周波信号出力増幅器９で抽出した中間周波信号を所要レベルまで増幅し、次続の表面弾性波フィルタ２に供給する。
【００３０】
表面弾性波フィルタ２は、チューナ部１から供給された中間周波数信号に対し、図３（ａ）の実線に示されるような中間周波信号帯域通過特性によって必要な周波数成分を有する中間周波信号を抽出し、次続の検波用集積回路３に供給する。検波用集積回路３は、供給された中間周波信号を検波してビデオ信号を再生し、次続のビデオイコライザ回路４に供給する。ビデオイコライザ回路４は、供給されたビデオ信号に必要とする周波数等化を付与し、ビデオ信号出力端子５に供給する。
【００３１】
この場合、使用温度が常温（例えば、２５℃）またはそれに近いときは、リチウムナイオベート基板を用いた表面弾性波フィルタ２における図３（ａ）の実線に示されるような中間周波信号帯域通過特性が、温度依存性中間周波共振回路８における図３（ｂ）の実線に示されるような中間周波信号帯域通過特性にほぼ重なり合い、得られるビデオ信号の帯域通過特性は、実質的に、図３（ａ）の実線に示されるような表面弾性波フィルタ２における中間周波信号帯域通過特性に依存したものになる。
【００３２】
一方、使用温度が常温より高い高温（例えば、５５℃）またはそれに近くなると、表面弾性波フィルタ２が有する固有の温度−周波数特性によって、図３（ａ）の一点鎖線に示されるように、表面弾性波フィルタ２における中間周波信号帯域通過特性が全体的に低い周波数方向に移行するようになる。このとき、温度依存型中間周波共振回路８は、コンデンサ１１に負の温度−容量特性を有するものを用い、その中間周波信号帯域通過特性を、図３（ｂ）の一点鎖線に示されるように、全体的に高い周波数方向に移行させるようにしているので、表面弾性波フィルタ２による温度−周波数特性と温度依存型中間周波共振回路８による温度−周波数特性とが打ち消しあうようになり、ビデオ信号出力端子５に得られるビデオ信号の周波数特性を、使用温度の変化に係りなしに、ほぼ一定にすることができる。
【００３３】
また、使用温度が常温より低い低温（例えば、−１０℃）またはそれに近くなった場合、表面弾性波フィルタ２における中間周波信号帯域通過特性の全体的な周波数移行方向、温度依存型中間周波共振回路８における中間周波信号帯域通過特性の全体的な周波数移行方向は、それぞれ使用温度が常温より高い高温になった場合と逆になるが、表面弾性波フィルタ２による温度−周波数特性と温度依存型中間周波共振回路８による温度−周波数特性とは打ち消しあい、同様に、ビデオ信号出力端子５に得られるビデオ信号の周波数特性を、使用温度の変化に係りなしに、ほぼ一定にすることができる。
【００３４】
ところで、前記実施例においては、温度依存型中間周波共振回路８として、コイル１０及び正の温度−容量特性を有するコンデンサ１１の並列回路を信号伝送路と接地点間に分路接続したものを用いた例を示したが、温度依存型中間周波共振回路８の構成例は、図２（ａ）に図示のものに限られず、図２（ｂ）に示されるように、コイル１０、正の温度−容量特性を有するコンデンサ１１、抵抗１２からなる並列回路を信号伝送路と接地点間に分路接続したもの、図２（ｃ）に示されるように、コイル１０と負の温度−容量特性を有するコンデンサ１１の並列回路を信号伝送路に直列接続したもの、図２（ｄ）に示されるように、コイル１０、負の温度−容量特性を有するコンデンサ１１、抵抗１２からなる並列回路を信号伝送路に直列接続したものを用いてもよい。
【００３５】
この場合、前記実施例は、温度依存型中間周波共振回路８に加えて、ビデオイコライザ回路４にも温度依存型中間周波共振回路８と同様の温度−周波数特性を持たせ、温度依存型中間周波共振回路８が有する温度−周波数特性とビデオイコライザ回路４が有する温度−周波数特性との総合の温度−周波数特性によって、表面弾性波フィルタ２による温度−周波数特性を打ち消すようにしている。
【００３６】
図４（ａ）、（ｂ）は、この実施例に用いられる温度−周波数特性を持ったビデオイコライザ回路４の各構成例を示す回路図である。
【００３７】
この実施例の場合、ビデオイコライザ回路４は、図４（ａ）に示されるように、コイル１３、負の温度−容量特性を有するコンデンサ１４、抵抗１５からなる直列回路を信号伝送経路と接地点間に分路接続したもの、または、図４（ｂ）に示されるように、コイル１３と抵抗１５の並列回路を信号伝送経路に直列接続し、負の温度−容量特性を有するコンデンサ１４を信号伝送経路と接地点間に接続したもの等が用いられる。
【００３８】
この実施例においては、表面弾性波フィルタ２による温度−周波数特性を、温度依存型中間周波共振回路８が有する温度−周波数特性とビデオイコライザ回路４が有する温度−周波数特性との総合の温度−周波数特性で打ち消すようにしているので、温度依存型中間周波共振回路８やビデオイコライザ回路４の設計に裕度を持たせることができる。
【００３９】
【発明の効果】
以上のように、本発明によれば、必要な中間周波信号を抽出する表面弾性波フィルタに、安価で、入出力インピーダンスの低いリチウムナイオベート基板を用いた表面弾性波フィルタを利用したので、既知のビデオ信号再生回路に用いられていた、表面弾性波フィルタの信号損失を補償する中間周波増幅器や表面弾性波フィルタと次続の検波用集積回路とをインピーダンスを整合させるインピーダンス整合コイルを省くことが可能になり、全体的にビデオ信号再生回路の回路構成が簡素化され、安価な前記表面弾性波フィルタの利用と相俟って、ビデオ信号再生回路の製造コストを安価できるという効果がある。
【００４０】
また、本発明によれば、リチウムナイオベート基板を用いた表面弾性波フィルタが有する比較的大きな温度−周波数特性を、チューナ部及びビデオイコライザ回路にその温度−周波数特性と逆の温度−周波数特性を持たせ、この逆の温度−周波数特性により打ち消すようにしているので、ビデオ信号再生全体の温度−周波数特性がなくなり、周囲温度の変動に伴うビデオ信号の帯域幅の変動を防げるという効果がある。
【図面の簡単な説明】
【図１】本発明によるビデオ信号再生回路の一実施例の構成を示すブロック回路図である。
【図２】図１に図示されたビデオ信号再生回路におけるチューナ部の出力部分の構成例を示す回路図である。
【図３】図１に図示されたビデオ信号再生回路において、表面弾性波フィルタ及びチューナ部の温度−周波数特性の各一例を示す特性図である。
【図４】図１に図示されたビデオ信号再生回路におけるビデオイコライザ回路の構成例を示す回路図である。
【図５】既知のビデオ信号再生回路の構成の一例を示すブロック回路図である。
【符号の説明】
１  チューナ部
２  リチウムナイオベート（ＬｉＮｂＯ３  ）基板を用いた表面弾性波（ＳＡＷ）フィルタ
３  検波用集積回路（ＩＣ）
４  ビデオイコライザ回路
５  ビデオ信号出力端子
６  局部発振器
７  周波数混合器
８  温度依存型中間周波共振回路
９  中間周波信号出力増幅器
１０、１３  コイル
１１、１４  温度−容量特性を有するコンデンサ
１２、１５  抵抗
【図１】
0003580975.tif 000002
【図２】
0003580975.tif 000003
【図３】
0003580975.tif 000004
【図４】
0003580975.tif 000005
【図５】
0003580975.tif 000006